(57)【要約】【課題】鋼板の処理ラインにおいて、薄鋼板（例えば、板厚０．１６ｍｍ〜１．０ｍｍ）を通板させる際に、通板不良の発生を的確に防止することができるロール近接通板ガイドを提供する。【解決手段】ロール近接通板ガイド７Ａは、先端が上面から下面に向かって逆テーパ形状になっているとともに、先端から後端に向かって上り傾斜になっており、これによって、ロール近接通板ガイド７Ａの上面と下ピンチロール２との隙間Ｇを非常に小さくすることを可能にしている。【選択図】図１
2014184444.tif 000002
【特許請求の範囲】
【請求項１】
鋼板の処理ラインにおいて、通板ロールの出側に近接して設置されるロール近接通板ガイドであって、先端が上面から下面に向かって逆テーパ形状になっているとともに、先端から後端に向かって上り傾斜になっていることを特徴とするロール近接通板ガイド。
【請求項２】
前記上り傾斜の傾斜角度が調整できるようになっていることを特徴とする請求項１に記載のロール近接通板ガイド。
【発明の詳細な説明】
【技術分野】
【０００１】
本発明は、鋼板の処理ラインにおいて、通板ロールに近接して設置されるロール近接通板ガイドに関するものである。
【背景技術】
【０００２】
鋼板の処理ラインにおいては、鋼板の通板に際して、通板ロール（例えば、ピンチロール）を通過した鋼板が通板テーブル（例えば、ローラテーブル）上にスムースに載り移れるようにするために、通板ロールの出側に近接して通板ガイド（ロール近接通板ガイド）が設けられていることが多い（例えば、特許文献１）。
【０００３】
図３、図４に、そのようなロール近接通板ガイドの一例を示す。図３は側面図、図４は図３の部分拡大図である。
【０００４】
図３、図４に示すように、ここでは、磁力コンベア３によって搬送されてきた鋼板４がピンチロールＰ（上ピンチロール１、下ピンチロール２）を通過して、通板テーブル９に載り移るようになっている。そして、ピンチロールＰを通過した鋼板４が通板テーブル９上にスムースに載り移れるようにするために、ピンチロールＰの出側に下ピンチロール２に近接してロール近接通板ガイド７Ｘが設けられている。なお、図中の５は下ピンチロール２の架台、６はロール近接通板ガイド７Ｘの架台である。
【０００５】
その際に、鋼板４の先端が通板テーブル９に載り移るまでは、図３、図４に示すように、下ピンチロール２が下方に位置していて、鋼板４の先端が通板テーブル９に載り移ったら、下ピンチロール２が上昇して、上ピンチロール１と下ピンチロール２で鋼板４を挟み込むようになっており、ロール近接通板ガイド７Ｘも下ピンチロール２の昇降に連動して昇降するようになっている。
【先行技術文献】
【特許文献】
【０００６】
【特許文献１】特開平８−１１７８５４号公報
【発明の概要】
【発明が解決しようとする課題】
【０００７】
しかしながら、図３、図４に示したロール近接通板ガイド７Ｘの場合、図４に示すように、ロール近接通板ガイド７Ｘの上面と下ピンチロール２との間に、隙間Ｇ（例えば、２．０ｍｍ程度）が生じる。そのため、板厚が薄い鋼板（例えば、板厚０．１６ｍｍ〜１．０ｍｍで、以下、薄鋼板ともいう）を通板させた際に、当該鋼板の曲げ剛性が低いことも相まって、当該鋼板の先端が隙間Ｇに入り込み、通板不良となるという問題があった。
【０００８】
本発明は、上記のような事情に鑑みてなされたものであり、鋼板の処理ラインにおいて、薄鋼板（例えば、板厚０．１６ｍｍ〜１．０ｍｍ）を通板させる際に、通板不良の発生を的確に防止することができるロール近接通板ガイドを提供することを目的とするものである。
【課題を解決するための手段】
【０００９】
上記課題を解決するために、本発明は以下の特徴を有する。
【００１０】
［１］鋼板の処理ラインにおいて、通板ロールの出側に近接して設置されるロール近接通板ガイドであって、先端が上面から下面に向かって逆テーパ形状になっているとともに、先端から後端に向かって上り傾斜になっていることを特徴とするロール近接通板ガイド。
【００１１】
［２］前記上り傾斜の傾斜角度が調整できるようになっていることを特徴とする前記［１］に記載のロール近接通板ガイド。
【発明の効果】
【００１２】
本発明においては、鋼板の処理ラインにおいて、薄鋼板（例えば、板厚０．１６ｍｍ〜１．０ｍｍ）を通板させる際に、通板不良の発生を的確に防止することができる。
【図面の簡単な説明】
【００１３】
【図１】本発明の一実施形態を示す図である。
【図２】図１の部分拡大図である。
【図３】従来のロール近接通板ガイドを示す図である。
【図４】図３の部分拡大図である。
【発明を実施するための形態】
【００１４】
本発明の一実施形態を図面に基づいて説明する。
【００１５】
図１、図２に、本発明の一実施形態を示す。図１は側面図、図２は図１の部分拡大図である。
【００１６】
図１、図２に示すように、この実施形態においては、磁力コンベア３によって搬送されてきた鋼板４がピンチロールＰ（上ピンチロール１、下ピンチロール２）を通過して、通板テーブル９に載り移るようになっている。そして、ピンチロールＰを通過した鋼板４が通板テーブル９上にスムースに載り移れるようにするために、ピンチロールＰの出側に下ピンチロール２に近接してロール近接通板ガイド７Ａが設けられている。なお、図中の５は下ピンチロール２の架台、６はロール近接通板ガイド７Ａの架台である。
【００１７】
その際に、鋼板４の先端が通板テーブル９に載り移るまでは、図１、図２に示すように、下ピンチロール２が下方に位置していて、鋼板４の先端が通板テーブル９に載り移ったら、下ピンチロール２が上昇して、上ピンチロール１と下ピンチロール２で鋼板４を挟み込むようになっており、ロール近接通板ガイド７Ａも下ピンチロール２の昇降に連動して昇降するようになっている。
【００１８】
その上で、この実施形態におけるロール近接通板ガイド７Ａは、先端が上面から下面に向かって逆テーパ形状になっているとともに、先端から後端に向かって上り傾斜になっている。これによって、ロール近接通板ガイド７Ａの上面と下ピンチロール２との隙間Ｇを非常に小さくすることが可能となる（例えば、０．１６ｍｍ未満）。
【００１９】
その結果、この実施形態においては、薄鋼板（例えば、板厚０．１６ｍｍ〜１．０ｍｍ）を通板させる際に、通板不良の発生を的確に防止することができる。
【００２０】
なお、ロール近接通板ガイド７Ａにおいて、先端の逆テーパ形状の逆テーパ角度（逆テーパ角度）αと、先端から後端に向かう上り傾斜の角度（上り傾斜角度）βは、通板させる鋼板の板厚や近接させるロールの径等によって適切な角度に設定すればよいが、例えば、逆テーパ角度αは３０°〜６０°、上り傾斜角度βは１０°〜３０°が好適である。
【００２１】
ちなみに、この実施形態においては、ロール近接通板ガイド７Ａに設けられている位置調整ボルト８によって、上り傾斜角度βと隙間Ｇを所望の値に調整・設定できるようになっている。
【実施例１】
【００２２】
本発明の実施例として、鋼板の処理ラインにおいて、板厚０．１６ｍｍ〜１．０ｍｍの薄鋼板を通板させた。
【００２３】
その際に、従来例として、図３、図４に示したロール近接通板ガイド７Ｘを用いた。ロール近接通板ガイド７Ｘは、先端がテーパ形状でなく鉛直面であるとともに、先端から後端に向かう角度は水平になっている。これにより、ロール近接通板ガイド７Ｘの上面と下ピンチロール２との隙間Ｇは２．０ｍｍであった。その結果、従来例ではロール近接通板ガイドに基づく通板不良が頻発した。
【００２４】
また、比較例として、図３、図４に示したロール近接通板ガイド７Ｘを用いる際に、先端から後端に向かって上り傾斜を設けた。その上り傾斜の角度は２０°とした。これにより、ロール近接通板ガイド７Ｘの上面と下ピンチロール２との隙間Ｇは１．５ｍｍであった。その結果、従来例では、ロール近接通板ガイドに基づく通板不良が時々発生した。
【００２５】
これに対して、本発明例として、図１、図２に示したロール近接通板ガイド７Ａを用いた。逆テーパ角度αは４５°、上り傾斜角度βは２０°とした。これにより、ロール近接通板ガイド７Ａの上面と下ピンチロール２との隙間Ｇは０．１５ｍｍであった。その結果、本発明例ではロール近接通板ガイドに基づく通板不良がほとんど発生しなくなった。
【００２６】
これによって、本発明の有効性が確認された。
【符号の説明】
【００２７】
１  上ピンチロール
２  下ピンチロール
３  磁力コンベア
４  鋼板（薄鋼板）
５  下ピンチロールの架台
６  ロール近接通板ガイドの架台
７Ａ  ロール近接通板ガイド
７Ｘ  ロール近接通板ガイド
８  ロール近接通板ガイドの位置調整ボルト
９  通板テーブル
【図１】
2014184444.tif 000003
【図２】
2014184444.tif 000004
【図３】
2014184444.tif 000005
【図４】
2014184444.tif 000006
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
鋼板の処理ラインにおいて、通板ロールの出側に近接して設置されるロール近接通板ガイドであって、通板ロールに近い側の端部を先端とし、通板ロールから遠い側の端部を後端とした時に、先端の上面側が通板ロールに最近接する先細り形状になっているとともに、先端から後端に向かって上り傾斜になっていることを特徴とするロール近接通板ガイド。
【請求項２】
前記上り傾斜の傾斜角度が調整できるようになっていることを特徴とする請求項１に記載のロール近接通板ガイド。
【手続補正２】
【補正対象書類名】明細書
【補正対象項目名】００１８
【補正方法】変更
【補正の内容】
【００１８】
その上で、この実施形態におけるロール近接通板ガイド７Ａは、下ピンチロール２に近い側の端部を先端とし、下ピンチロール２から遠い側の端部を後端とした時に、先端が上面から下面に向かって逆テーパ形状になっている（言い換えれば、先端の上面側が下ピンチロール２に最近接する先細り形状になっている）とともに、先端から後端に向かって上り傾斜になっている。これによって、ロール近接通板ガイド７Ａの上面と下ピンチロール２との隙間Ｇを非常に小さくすることが可能となる（例えば、０．１６ｍｍ未満）。